(57)【要約】【課題】ラチェット機構によってチルト部を確実に所定角度で保持しながらも、簡単にその保持状態を解除することができ、しかも操作性良くチルト部を元の角度に戻すことのできるチルト角保持装置を得る。【解決手段】チルト角保持装置１０は、ガイド部材１１に設けられた第１ラチェット凹部１６ａ〜１６ｅと、ガイド部材１１に対してスライド可能なレバー部材１７に設けられた第２ラチェット凹部２１ａ〜２１ｅ、２２ａ〜２２ｅと、のこれらラチェット凹部にラチェット爪が嵌合することで、チルト角を保持する。レバー部材１７がロック位置にあるとき、各ラチェット凹部は横並びに配置されるが、レバー部材１７がロック解除位置にあるときには、各ラチェット凹部が互い違いに配置され、これにより各ラチェット爪と各ラチェット凹部とによるチルト角保持が、チルトパネルユニット７の回動可能範囲全体でキャンセルされる。【選択図】図１１
2010036397.tif 000002
【特許請求の範囲】
【請求項１】
機器本体に対して回動可能なチルト部と、
前記機器本体に対してスライド可能に設けられるとともに前記チルト部と係合して当該チルト部の姿勢を保持するガイド部材と、
前記機器本体において前記ガイド部材に対して進退可能に設けられ、前記ガイド部材に対して進出することにより当該ガイド部材のスライド動作をロックするロック部材と、
前記ガイド部材に対してスライド可能に設けられるとともに前記ロック部材と係合可能に設けられ、ロック位置からロック解除位置に向けてスライドすることにより、前記ロック部材が前記ガイド部材から退避する方向に当該ロック部材を変位させるレバー部材と、を備えた、前記チルト部のチルト角を保持するチルト角保持装置であって、
前記ロック部材には、第１ラチェット爪及び第２ラチェット爪が形成され、
前記ガイド部材には、前記第１ラチェット爪が嵌合する第１ラチェット凹部が前記ガイド部材のスライド方向に沿って複数設けられ、
前記レバー部材には、前記第２ラチェット爪が嵌合する第２ラチェット凹部が前記ガイド部材のスライド方向に沿って複数設けられ、
前記レバー部材が前記ロック位置にあるとき、前記第１ラチェット凹部及び前記第２ラチェット凹部が、ともにそれぞれ前記第１ラチェット爪及び前記第ラチェット爪が嵌合可能な配置関係が形成され、
前記レバー部材を前記ロック位置から前記ロック解除位置に向けて変位させることにより、前記第２ラチェット凹部の斜面が前記第２ラチェット爪を押し上げて前記ロック部材が前記ガイド部材から退避する方向に変位し、
前記レバー部材が前記ロック解除位置にあるとき、前記第１ラチェット凹部及び前記第２ラチェット凹部の少なくともいずれか一方が、前記第１ラチェット凹部の場合には前記第１ラチェット爪と、或いは前記第２ラチェット凹部の場合には前記第２ラチェット爪と対向しない配置関係が、前記ガイド部材のスライド方向に沿って連続的に形成される、
ことを特徴とするチルト角保持装置。
【請求項２】
請求項１に記載のチルト角保持装置において、前記レバー部材は把持部を有し、当該把持部が、前記チルト部の回動自由端近傍に配置されている、
ことを特徴とするチルト角保持装置。
【請求項３】
請求項１または２に記載のチルト角保持装置において、前記チルト部には回動中心を形成する突起が形成されるとともに、前記機器本体には前記突起をガイドするガイド溝が形成され、
前記ガイド部材のスライドに伴い、前記突起が前記ガイド溝内を変位しながら前記チルト部が回動することを特徴とするチルト角保持装置。
【請求項４】
被記録媒体に記録を行う記録部と、
各種情報を表示する情報表示部及び各種操作設定を行う操作設定部を備えたチルト部のチルト角を保持する、請求項１から３のいずれか１項に記載のチルト角保持装置と、
を備えたことを特徴とする記録装置。
【発明の詳細な説明】
【技術分野】
【０００１】
本発明は、機器本体に対してチルト可能に設けられるチルト部のチルト角を保持するチルト角保持装置、および当該チルト角保持装置を備えた、ファクシミリやプリンタ等に代表される記録装置に関する。
【背景技術】
【０００２】
電子機器には各種情報を表示する情報表示部（例えば、液晶表示部などにより構成される）及び各種操作設定を行う為の操作ボタンや電源ボタン等を備えた操作設定部をチルトパネルに備え、チルト角保持機構を介してユーザが情報の視認や操作設定を行い易い任意のチルト角で保持できるようになっている。
【０００３】
このようなチルト角保持機構は、例えば特許文献１、２に示されるようなラチェット機構、即ち鋸状歯を本体側に設け、チルト部には前記鋸状歯と係合する係止端を設け、鋸状歯と係止端との係合によって所定のチルト角を段階的に保持できるように構成されている。
【特許文献１】特開２００１−１１１２４５号公報
【特許文献２】特開平１１−３３９１２５号公報
【発明の開示】
【発明が解決しようとする課題】
【０００４】
上記のような従来のチルト角保持機構にあっては、チルト部に外力が加わった場合でも上記ラチェット機構によってチルト角が変化することなく確実に所定の角度で保持されるが、その反面任意の角度で保持した状態から元の位置に向けて戻す場合、係止端を鋸状歯から離間させた状態を維持する必要がある。そして係止端はチルト部の背面側に設けられているので、チルト部を元の角度に戻す際の操作性が悪く、操作が煩雑となる。
【０００５】
そこで本発明はこの様な状況に鑑み成されたものであり、その目的は、ラチェット機構によってチルト部を確実に所定角度で保持しながらも、簡単にその保持状態を解除することができ、しかも操作性良くチルト部を元の角度に戻すことのできるチルト角保持装置を得ることにある。
【課題を解決するための手段】
【０００６】
上記課題を解決するために、本発明の第１の態様に係るチルト角保持装置は、機器本体に対して回動可能なチルト部と、前記機器本体に対してスライド可能に設けられるとともに前記チルト部と係合して当該チルト部の姿勢を保持するガイド部材と、前記機器本体において前記ガイド部材に対して進退可能に設けられ、前記ガイド部材に対して進出することにより当該ガイド部材のスライド動作をロックするロック部材と、前記ガイド部材に対してスライド可能に設けられるとともに前記ロック部材と係合可能に設けられ、ロック位置からロック解除位置に向けてスライドすることにより、前記ロック部材が前記ガイド部材から退避する方向に当該ロック部材を変位させるレバー部材と、を備えた、前記チルト部のチルト角を保持するチルト角保持装置であって、前記ロック部材には、第１ラチェット爪及び第２ラチェット爪が形成され、前記ガイド部材には、前記第１ラチェット爪が嵌合する第１ラチェット凹部が前記ガイド部材のスライド方向に沿って複数設けられ、前記レバー部材には、前記第２ラチェット爪が嵌合する第２ラチェット凹部が前記ガイド部材のスライド方向に沿って複数設けられ、前記レバー部材が前記ロック位置にあるとき、前記第１ラチェット凹部及び前記第２ラチェット凹部が、ともにそれぞれ前記第１ラチェット爪及び前記第ラチェット爪が嵌合可能な配置関係が形成され、前記レバー部材を前記ロック位置から前記ロック解除位置に向けて変位させることにより、前記第２ラチェット凹部の斜面が前記第２ラチェット爪を押し上げて前記ロック部材が前記ガイド部材から退避する方向に変位し、前記レバー部材が前記ロック解除位置にあるとき、前記第１ラチェット凹部及び前記第２ラチェット凹部の少なくともいずれか一方が、前記第１ラチェット凹部の場合には前記第１ラチェット爪と、或いは前記第２ラチェット凹部の場合には前記第２ラチェット爪と対向しない配置関係が、前記ガイド部材のスライド方向に沿って連続的に形成されることを特徴とする。
【０００７】
本態様によれば、レバー部材を操作することによって、第１ラチェット凹部及び第２ラチェット凹部の少なくともいずれか一方が第１ラチェット爪或いは第２ラチェット爪と対向しない配置関係が、ガイド部材のスライド方向に沿って連続的に形成されるので、レバー部材を操作することによってラチェット機構による角度保持をチルト部の回動可能範囲全体でキャンセルすることができる。従ってこれにより、ラチェット機構によってチルト部を確実に所定角度で保持しながらも、簡単にその保持状態を解除することができ、しかも操作性良くチルト部を元の角度に戻すことが可能となる。
【０００８】
本発明の第２の態様に係るチルト角保持装置は、第１の態様に係るチルト角保持装置において、前記レバー部材は把持部を有し、当該把持部が、前記チルト部の回動自由端近傍に配置されていることを特徴とする。
【０００９】
本態様によれば、レバー部材に設けられた把持部が、チルト部の回動自由端近傍に配置されているので、レバー部材を操作しつつチルト部の回動自由端に手を掛けて当該チルト部を回動させる操作を一方側の手のみで行えるので、操作性が向上する。
【００１０】
本発明の第３の態様に係るチルト角保持装置は、第１のまたは第２の態様に係るチルト角保持装置において、前記チルト部には回動中心を形成する突起が形成されるとともに、前記機器本体には前記突起をガイドするガイド溝が形成され、前記ガイド部材のスライドに伴い、前記突起が前記ガイド溝内を変位しながら前記チルト部が回動することを特徴とする。
【００１１】
本態様によれば、チルト部は回動中心が固定ではなく可動であり、回動中心を形成する突起が機器本体側に設けられたガイド溝内をスライドしながらチルト部が回動する構成であるので、チルト部を機器本体に埋め込むように設けた場合であっても、チルト部の前面が機器本体の内側上面に隠れてしまうことを防止でき、即ち視認性の低下を防止できる。
【００１２】
本発明の第４の態様に係る記録装置は、被記録媒体に記録を行う記録部と、各種情報を表示する情報表示部及び各種操作設定を行う操作設定部を備えたチルト部のチルト角を保持する、第１から第３の態様のいずれかに係るチルト角保持装置とを備えたことを特徴とする。本態様によれば、被記録媒体に記録を行う記録装置において、上記第１から第３の態様のいずれかと同様な作用効果を得ることができる。
【発明を実施するための最良の形態】
【００１３】
以下、図１〜図１０を参照しながら本発明の実施形態について説明する。ここで、図１は本発明に係るインクジェット複合機１の外観斜視図、図２及び図３はチルトパネルユニット７の取付部位の側面図、図４はチルトパネルユニット７を背面側から見た斜視図（ガイド部材１１のチルトパネルユニット７への取付状態を示す図）、図５はチルト角保持装置１０の分解斜視図、図６はチルト角保持装置１０の側断面図である。
【００１４】
また図７はロック部材２６の斜視図、図８及び図９はチルト角保持装置１０の斜視図であって、図８はロック状態、図９はロック解除状態の図である。更に図１０及び図１１はチルト角保持装置１０の部分拡大斜視図であって、図１０はロック状態、図１１はロック解除状態の図である。
【００１５】
以下、図１を参照しながら被記録媒体に記録を行う記録装置の一例としての、本発明に係るインクジェット複合機１の外部から把握可能な構成について概説する。インクジェット複合機１は、被記録媒体に記録を実行する記録実行部であるインクジェットプリンタ機構とスキャナ機構とを併せ持つインクジェット複合機であり、符号１ａはインクジェットプリンタ機構及びスキャナ機構を備えた装置本体を示し、また符号２は装置本体１ａの上部に設けられ、スキャナ機構の原稿台（図示せず）を開閉する原稿台カバー２を示している。
【００１６】
符号３は画像データなどが記憶された記憶媒体（図示せず）を挿入する記憶媒体挿入部を示していて、インクジェット複合機１は、記憶媒体挿入部３に挿入された記憶媒体に記憶された画像データを、外部コンピュータによらず、単独でインクジェット記録可能な所謂スタンドアロン型プリンタとして構成されている。
【００１７】
符号４は装置底部に設けられ、装置手前側に引き出すことにより用紙を支持するサポート面が展開される排紙トレイを示しており、記録が行われて排出される用紙が、この排紙トレイ４により支持される。尚、符号６は、記録が行われた用紙が排出される用紙排出口を示している。
【００１８】
符号７は、プレビュー画像やユーザインタフェースなどの各種情報を表示する、液晶モニタなどで構成される情報表示部と、電源投入ボタンや記録実行ボタン、画像読み取り実行ボタン、各種操作設定を行う設定ボタン、等を含む操作部と、のこれらを前面（パネル面）７ａに備えたチルトパネルユニットを示している。
【００１９】
このチルトパネルユニット７はインクジェット複合機１の基体を構成する下部フレーム５（図２等参照）に回動（チルト）可能に且つスライド可能に設けられており、またそのチルト角が、後述するチルト角保持装置１０によって例えば図１に示すような傾斜角度に保持されるようになっていて、ユーザにとって視認性及び操作性の良好な任意の角度で保持できるようになっている。
【００２０】
続いて図２〜図１１を参照しながらチルト角保持装置１０について詳説する。  
以下では先ず、チルトパネルユニット７の動作について説明する。図２〜図４において符号７ｃはチルトパネルユニット７の回動中心を形成する突起を示しており、この突起７ｃはチルトパネルユニット７の本体７ｂの両側に設けられている。
【００２１】
一方、チルトパネルユニット７は装置本体１ａの前面１ｂに埋め込まれるように設けられ、チルトパネルユニット７が埋め込まれる凹部の内側両サイドに、図２、図３、図５、図６において符号５ａで示す様なガイド溝５ａが形成されている。このガイド溝５ａは、その上部が装置奥側（図２及び図３において右側）に位置するようにやや傾斜して上下に延びるように形成されており、チルトパネルユニット７の両側に設けられた突起７ｃは、このガイド溝５ａに遊挿される。
【００２２】
次に、下部フレーム５にはガイド部材１１が装置前後方向（図２及び図３の左右方向）にスライド可能に設けられており、このガイド部材１１に形成されたボス１４が、チルトパネルユニット７の本体７ｂに形成された図示しない受け部に遊挿され、これによりガイド部材１１とチルトパネルユニット７とが相対的に回動可能なように組み付けられる。
【００２３】
図２はチルトパネルユニット７が垂直姿勢にある状態を示しており、この状態では突起７ｃがガイド溝５ａの最も上部に位置している。尚この状態では、パネル面７ａが、装置本体１ａの前面１ｂとほぼ面一となっている。
【００２４】
この状態からチルトパネルユニット７の回動自由端（下端部）を装置前方側（図２及び図３において左方向）に引くと、図２から図３への変化に示すようにチルトパネルユニット７は回動しながら、突起７ｃがガイド溝５ａ内を下方に移動することによりパネル面７ａが下方に下がり、パネル面７ａと、このパネル面７ａの上部にある壁面（符号５ｄで示す）との間に十分な間隔が確保され、視認性の低下が防止される。
【００２５】
尚、符号２６はガイド部材１１に対して進退可能に設けられるロック部材を示しており、符号２６ｂはこのロック部材２６に形成される第２ラチェット爪を示している。また符号１６ａ〜１６ｂは後述する第２ラチェット凹部を示している。
【００２６】
そして図２及び図３に示すように、ラチェット爪２６ｂが、第２ラチェット凹部１６ａ〜１６ｅのいずれかに入り込むことにより、ガイド部材１１が装置奥側（図２及び図３において右側）に動かないようにロックされる。これにより、チルトパネルユニット７のパネル面７ａに押圧力を付与してもそれに負けてチルトパネルユニット７が回動しないよう、チルト角（姿勢）が保持される。
【００２７】
また、符号１８は後に詳述するレバー部材１７に設けられるレバー部を示しており、このレバー部１８を図２の矢印ａで示すように操作する（引く）ことによって、ロック部材２６が上方に退避し、ラチェット爪２６ｂと、第２ラチェット凹部１６ａ〜１６ｅとの嵌合状態が解除されるように構成されている。即ち、ガイド部材１１のロック状態が解除されて、チルトパネルユニット７が回動可能な状態となる。
【００２８】
尚、第２ラチェット爪２６ｂと、第２ラチェット凹部１６ａ〜１６ｅは、図２及び図３から明かなようにガイド部材１１の装置前方側方向へのスライドを許容するように鋸状歯の向きが設定されており、チルトパネルユニット７を水平姿勢に向けてチルトさせる場合には、レバー部１８を操作する必要がない様に構成されている。
【００２９】
また後述するように、チルトパネルユニット７を図３の姿勢から図２の垂直姿勢に向けて戻す際には、レバー部１８を引いた状態を維持しつつチルトパネルユニット７の回動自由端を装置奥側に向けて押し込めば、図２の垂直姿勢に戻るまで第２ラチェット爪２６ｂは全ての第２ラチェット凹部１６ａ〜１６ｅと嵌合することがないように、即ちロック状態に切り換わらないように構成されている。
【００３０】
尚、このようなラチェット爪とラチェット凹部とを備えて成るラチェット嵌合部は、実際にはガイド部材１１のスライド方向と直交する方向（図２及び図３の紙面表裏方向）に更に設けられているが、これについては後に詳述する。
【００３１】
以上がチルトパネルユニット７の動作（チルト角保持装置１０の大略構成）であり、以下チルト角保持装置１０の構成について図４〜図１１を参照しながら更に詳述する。  
図５に示すようにチルト角保持装置１０はガイド部材１１と、ロック部材２６と、レバー部材１７と、押圧ばね２４と、引っ張りばね２５と、を備えて構成されている。
【００３２】
ガイド部材１１は両サイドにガイド溝１５を有し、このガイド溝１５が、下部フレーム５に形成された凹部５ｂの、内側両サイドに形成されたガイドレール５ｃと嵌合することで、下部フレーム５に対してスライド自在に設けられる。
【００３３】
このガイド部材１１には、図４〜図６に示すように符号１２ａ〜１２ｅで示す共通ラチェット凹部が、ガイド部材１１のガイド方向に沿って所定間隔で配置されている。また各共通ラチェット凹部の間には、ガイド側レリース突起１３ａ〜１３ｄが形成されており、後述するレバー部材１７がガイド部材１１に設けられた際に、当該レバー部材１７に形成された長溝２３（ガイド部材１１のスライド方向に延びる）に、ガイド側レリース突起１３ａ〜１３ｄが入り込むようになっている（図８〜図１１参照）。
【００３４】
尚、レバー部材１７がガイド部材１１に設けられた状態において、ガイド側レリース突起１３ａ〜１３ｄの間およびその前後に、後述する第１ラチェット凹部１６ａ〜１６ｅが画設される（図１０、図１１参照）。
【００３５】
レバー部材１７は、図４〜図９に示すようにガイド部材１１の上部（ガイド部材１１と下部フレーム５との間）において、当該ガイド部材１１のスライド方向にスライド可能に設けられ、装置前方側には上述したレバー部１８が形成されている。
【００３６】
このレバー部材１７には、スライド方向に沿って所定の間隔を置いて第２ラチェット凹部２１ａ〜２１ｅ、２２ａ〜２２ｅ、が形成されており、また各ラチェット凹部の間には、レバー側レリース突起１９ａ〜１９ｄ、２０ａ〜２０ｄが形成されている。  
尚このレバー部材１７は、下部フレーム５との間で付勢力を発揮する引っ張りばね２５により、装置奥側に向けて付勢された状態でガイド部材１１に設けられる。
【００３７】
ロック部材２６は、図７に示すように軸２６ｄを有し、この軸２６ｄを介して、下部フレーム５にスライド可能に設けられる。軸２６ｄには、図６に示すように押圧ばね２４が設けられ、これによりロック部材２６はガイド部材１１に向けて付勢された状態に設けられる。
【００３８】
図７に戻ってロック部材２６の先端には、第１ラチェット爪２６ｂと、その両側に所定間隔を空けて第２ラチェット爪２６ａ、２６ｃが形成されており、これらラチェット爪がガイド部材１１及びレバー部材１７に形成されたラチェット凹部に嵌合することにより、ガイド部材１１がロックされる。
【００３９】
続いて主として図８〜図１１を参照しながら第１ラチェット凹部１６ａ〜１６ｅと、第２ラチェット凹部２１ａ〜２１ｅ、２２ａ〜２２ｅ、のこれらについて詳説する。  
図８は、ガイド部材１１がロック状態にあるときのガイド部材１１、レバー部材１７、ロック部材２６、のこれらを示しており、図１０はガイド部材１１がロック状態にあるときの各ラチェット凹部の配置関係を示している。また図９はガイド部材１１がロック解除状態にあるときのガイド部材１１、レバー部材１７、ロック部材２６、のこれらを示しており、図１１はガイド部材１１がロック解除状態にあるときの各ラチェット凹部の配置関係を示している。
【００４０】
図８及び図１０に示すように、ガイド部材１１のロック状態（ロック可能状態）では、第１ラチェット凹部１６ａ〜１６ｅと、第２ラチェット凹部２１ａ〜２１ｅ、２２ａ〜２２ｅ、のこれらは横並びの配置状態であり、これによりロック部材２６に形成された第１ラチェット爪２６ｂ、第２ラチェット爪２６ａ、２６ｃ、のこれらが各々ラチェット凹部に嵌合可能な配置関係となっている。
【００４１】
尚、第１ラチェット爪２６ｂは第１ラチェット凹部１６ａ〜１６ｅのいずれかに、第２ラチェット爪２６ａは第２ラチェット凹部２１ａ〜２１ｅのいずれかに、第２ラチェット爪２６ｃは第２ラチェット凹部２２ａ〜２２ｅのいずれかに、それぞれ嵌合する。また、図１０に示すロック状態では、各ラチェット凹部の下に、ガイド部材１１に形成された共通ラチェット凹部１２ａ〜１２ｂが位置しており、これにより各ラチェット爪がより一層深く各ラチェット凹部と嵌合するようになっている。尚このときのレバー部材１７の位置を「ロック位置」と言う。
【００４２】
次にこのロック状態（ロック可能状態）から、上述したようにレバー部１８を操作してレバー部材１７をガイド部材１１に対して装置手前側にスライドさせると、第２ラチェット凹部２１ａ〜２１ｅ、２２ａ〜２２ｅ、のこれらが、図１１の黒矢印で示すように第１ラチェット凹部１６ａ〜１６ｅに対して相対的に移動する。
【００４３】
ここで、第２ラチェット凹部２１ａ〜２１ｅ、２２ａ〜２２ｅ、のこれらにおいては、ロック部材２６に形成された第２ラチェット爪２６ａ、２６ｃと接触する面が傾斜面（例えば、第２ラチェット凹部２１ａの傾斜面を図１１において符号Ｓで示す）が形成されている。
【００４４】
そしてこの傾斜面Ｓによって、ロック部材２６に形成された第２ラチェット爪２６ａ、２６ｃが押し上げられ、即ちロック部材２６が上方に押し上げられて、第１ラチェット爪２６ｂ、第２ラチェット爪２６ａ、２６ｃ、のこれらラチェット爪と各ラチェット凹部との嵌合が解除される。尚このときのレバー部材１７の位置を「ロック解除位置」と言う。
【００４５】
ここで、レバー部材１７がロック解除位置にあるとき、第１ラチェット爪２６ｂ及び第２ラチェット爪２６ａ、２６ｃのこれらは、例えば第１ラチェット爪２６ｂが第１ラチェット凹部１６ｂと嵌合可能な位置（ラチェット凹部と対向する位置）にあるときには、第２ラチェット爪２６ａ、２６ｃがそれぞれレバー側レリース突起１９ｂ、２０ｂと対向する位置にあり、結果的にいずれのラチェット爪もラチェット凹部には嵌合（係合）できない配置関係となっている。
【００４６】
即ち、ロック状態とは異なり、第１ラチェット凹部１６ａ〜１６ｅと、第２ラチェット凹部２１ａ〜２１ｅ、２２ａ〜２２ｅとが、横並びではなく互い違いの配置となる。即ち第１ラチェット凹部１６ａ〜１６ｅ及び第２ラチェット凹部２１ａ〜２１ｅ、２２ａ〜２２ｅの少なくともいずれか一方が、第１ラチェット爪２６ｂ或いは第２ラチェット爪２６ａ、２６ｃと対向しない（嵌合できない）、そのような各ラチェット凹部の配置関係が形成される。
【００４７】
そしてこの配置関係は、図１１において白矢印で示すようにガイド部材１１のスライド方向に沿って途切れることなく連続的に形成される。これにより、各ラチェット爪と各ラチェット凹部とによるチルト角保持（ガイド部材１１のロック状態）が、チルトパネルユニット７の回動可能範囲全体でキャンセルされることになる。
【００４８】
従って例えば、図３に示すようなチルトパネルユニット７を回動させた状態から、図２に示す垂直姿勢に戻す際には、レバー部１８を引いたままチルトパネルユニット７の回動自由端を装置奥側に押し込めば、途中でガイド部材１１がロックされることなく、スムーズに元の姿勢に戻すことができる。
【００４９】
また、その途中のチルト角で保持したい場合には、レバー部１８から手を離すことにより図１０のロック可能状態に戻るので、チルトパネルユニット７はいずれの回動方向であってもその回動途中に所定のチルト角を保持できるようになっている。
【００５０】
以上の様にチルト角保持装置１０によれば、チルトパネルユニット７が各ラチェット爪と各ラチェット凹部との嵌合によりチルト角が確実に保持されるとともに、レバー部１８（レバー部材１７）を操作することによって、簡単にその保持状態を解除することができ、しかも操作性良く元の垂直姿勢に戻すことができる。
【００５１】
また、本実施形態ではレバー部（把持部）１８が、チルトパネルユニット７の回動自由端近傍に配置されているので、レバー部１８を操作しつつチルトパネルユニット７の回動自由端を押し込んで元の垂直姿勢に戻す操作を一方側の手のみで行えるので、極めて良好な操作性を得ることができる。
【００５２】
以上説明した実施形態は一例であり、種々の変形が可能である。例えば、本実施形態ではロック状態にあるときに図１０に示すように各ラチェット凹部が横並びとなり、ロック解除状態にあるときに図１１に示すように各ラチェット凹部が互い違いに配置されるよう構成されているが、その逆にロック状態にあるときに図１１に示すように各ラチェット凹部が互い違いに配置され、ロック解除状態にあるときに図１０に示すように各ラチェット凹部が横並びとなるように構成されていても良い。
【図面の簡単な説明】
【００５３】
【図１】本発明に係るインクジェット複合機の外観斜視図。
【図２】チルトパネルユニットの取付部位の側面図。
【図３】チルトパネルユニットの取付部位の側面図。
【図４】チルトパネルユニットを背面側から見た斜視図。
【図５】本発明に係るチルト角保持装置の分解斜視図。
【図６】本発明に係るチルト角保持装置の側断面図。
【図７】ロック部材の斜視図。
【図８】本発明に係るチルト角保持装置の斜視図（ロック状態）。
【図９】本発明に係るチルト角保持装置の斜視図（ロック解除状態）。
【図１０】本発明に係るチルト角保持装置の部分拡大斜視図（ロック状態）。
【図１１】本発明に係るチルト角保持装置の部分拡大斜視図（ロック解除状態）。
【符号の説明】
【００５４】
１  インクジェット複合機、１ａ  装置本体、２  原稿台カバー、３  記憶媒体挿入部、４  引き出し式排紙トレイ、５  下部ハウジング、５ａ  軸ガイド溝、５ｂ  凹部、５ｃ  ガイドレール、６  用紙排出口、
７  チルトパネルユニット、７ａ  パネル面、７ｂ  本体、７ｃ  突起、８  情報表示部、９  操作設定部、
１０  チルト角保持装置、１１  ガイド部材、１２ａ〜１２ｅ  共通ラチェット凹部、１３ａ〜１３ｄ  ガイド側レリース突起、１４  パネル係合部、１５  ガイド溝、１６ａ〜１６ｅ  第１ラチェット凹部、１７  レバー部材、１８  レバー部、１９ａ〜１９ｄ  レバー側レリース突起、２０ａ〜２０ｄ  レバー側レリース突起、２１ａ〜２１ｅ  第２ラチェット凹部、２２ａ〜２２ｅ  第２ラチェット凹部、２３  長溝、２４  押圧ばね、２５  引っ張りばね、２６  ロック部材、２６ａ、２６ｃ  第２ラチェット爪、２６ｂ  第１ラチェット爪、２６ｄ  軸
【図１】
2010036397.tif 000003
【図２】
2010036397.tif 000004
【図３】
2010036397.tif 000005
【図４】
2010036397.tif 000006
【図５】
2010036397.tif 000007
【図６】
2010036397.tif 000008
【図７】
2010036397.tif 000009
【図８】
2010036397.tif 000010
【図９】
2010036397.tif 000011
【図１０】
2010036397.tif 000012
【図１１】
2010036397.tif 000013